Podtech/llm-jp-corpus-v4-ja_patent huggingface dataset:
【手続補正書】
【提出日】平成26年2月7日(2014.2.7)
【手続補正１】
【補正対象書類名】特許請求の範囲
【補正対象項目名】全文
【補正方法】変更
【補正の内容】
【特許請求の範囲】
【請求項１】
構造において、以下の表Ａ又はＢに示す化合物に対応する、１０’−フルオロ−ビンカアルカロイド化合物又はその薬学的に許容可能な塩。
2013520499.tif 000001
【請求項２】
構造において表Ａに示す化合物に対応する、請求項１に記載の１０’−フルオロ−ビンカアルカロイド化合物又はその薬学的に許容可能な塩。
【請求項３】
構造において表Ｂに示す化合物に対応する、請求項１に記載の１０’−フルオロ−ビンカアルカロイド化合物又はその薬学的に許容可能な塩。
【請求項４】
前記１０’−フルオロ−ビンカアルカロイド化合物が１０’−フルオロビンブラスチンである、請求項１に記載の１０’−フルオロ−ビンカアルカロイド化合物又はその薬学的
に許容可能な塩。
【請求項５】
前記１０’−フルオロ−ビンカアルカロイド化合物が１０’−フルオロアンヒドロビンブラスチンである、請求項１に記載の１０’−フルオロ−ビンカアルカロイド化合物又は
その薬学的に許容可能な塩。
【請求項６】
前記１０’−フルオロ−ビンカアルカロイド化合物が１０’−フルオロビンクリスチンである、請求項１に記載の１０’−フルオロ−ビンカアルカロイド化合物又はその薬学的
に許容可能な塩。
【請求項７】
生理学的に許容可能な担体に溶解又は分散させた請求項１〜６のいずれか１項に記載の１０’−フルオロ−ビンカアルカロイド化合物又はその薬学的に許容可能な塩を微小管の形成を阻害する又は有糸分裂を阻害する量で含む医薬組成物。
【請求項８】
非経口投与用に適合される、請求項７に記載の医薬組成物。
【請求項９】
がん、リンパ腫又は白血病に罹患した哺乳動物を治療するための医薬の製造のための、請求項１〜６のいずれか１項に記載の化合物の使用。
【請求項１０】
がん、リンパ腫又は白血病に罹患した哺乳動物の治療に用いるための、請求項１〜６のいずれか１項に記載の化合物。
【手続補正書】
【提出日】平成26年2月14日(2014.2.14)
【手続補正１】
【補正対象書類名】特許請求の範囲
【補正対象項目名】全文
【補正方法】変更
【補正の内容】
【特許請求の範囲】
【請求項１】
患者にニューレグリンアンタゴニストの有効量を含んでなる、癌患者の腫瘍再発までの時間を増やすための剤。
【請求項２】
別の治療薬と組み合わせて投与される、請求項１に記載の剤。
【請求項３】
別の治療薬が化学療法剤又は抗体である、請求項２に記載の剤。
【請求項４】
化学療法剤がパクリタキセル又はシスプラチン、又はパクリタキセルとシスプラチンの組み合わせである、請求項３に記載の剤。
【請求項５】
抗体がＥＧＦＲ，ＨＥＲ２、ＨＥＲ３、又はＨＥＲ４抗体である、請求項３に記載の剤。
【請求項６】
癌が非小細胞肺癌、乳癌、卵巣癌、頭頸部癌、子宮頸癌、膀胱癌、食道癌、前立腺癌、又は大腸癌からなる群から選択される、請求項１に記載の剤。
【請求項７】
腫瘍再発までの期間の増加が、ニューレグリンアンタゴニストの非存在下における再発までの期間より少なくとも１．２５倍大きい、請求項１に記載の剤。
【請求項８】
腫瘍再発までの期間の増加が、ニューレグリンアンタゴニストの非存在下における再発までの期間より少なくとも１．５０倍大きい、請求項１に記載の剤。
【請求項９】
ニューレグリンアンタゴニストは、抗体、小分子、イムノアドヘシン、又はＲＮＡである、請求項１に記載の剤。
【請求項１０】
ニューレグリンアンタゴニストがＮＲＧ１アンタゴニストである、請求項１に記載の剤。
【請求項１１】
ニューレグリンアンタゴニストが抗ＮＲＧ１抗体である、請求項１に記載の剤。
【手続補正書】
【提出日】平成26年1月30日(2014.1.30)
【手続補正１】
【補正対象書類名】特許請求の範囲
【補正対象項目名】全文
【補正方法】変更
【補正の内容】
【特許請求の範囲】
【請求項１】
３−シクロブチル−３−［４−（７Ｈ−ピロロ［２，３−ｄ］ピリミジン−４−イル）−１Ｈ−ピラゾール−１−イル］プロパンニトリルである化合物またはその医薬上許容される塩。
【請求項２】
（Ｒ）−３−シクロブチル−３−［４−（７Ｈ−ピロロ［２，３−ｄ］ピリミジン−４−イル）−１Ｈ−ピラゾール−１−イル］プロパンニトリルである請求項１記載の化合物、またはその医薬上許容される塩。
【請求項３】
（Ｓ）−３−シクロブチル−３−［４−（７Ｈ−ピロロ［２，３−ｄ］ピリミジン−４−イル）−１Ｈ−ピラゾール−１−イル］プロパンニトリルである請求項１記載の化合物、またはその医薬上許容される塩。
【請求項４】
３−（４−（７Ｈ−ピロロ［２，３−ｄ］ピリミジン−４−イル）−１Ｈ−ピラゾール−１−イル）−３−（３−メチルシクロブチル）プロパンニトリルである化合物またはその医薬上許容される塩。
【請求項５】
３−（４−（７Ｈ−ピロロ［２，３−ｄ］ピリミジン−４−イル）−１Ｈ−ピラゾール−１−イル）−３−（（ｔｒａｎｓ）−３−メチルシクロブチル）プロパンニトリルである請求項４記載の化合物、またはその医薬上許容される塩。
【請求項６】
（３Ｒ）−３−（４−（７Ｈ−ピロロ［２，３−ｄ］ピリミジン−４−イル）−１Ｈ−ピラゾール−１−イル）−３−（（ｔｒａｎｓ）−３−メチルシクロブチル）プロパンニトリルである請求項５記載の化合物、またはその医薬上許容される塩。
【請求項７】
（３Ｓ）−３−（４−（７Ｈ−ピロロ［２，３−ｄ］ピリミジン−４−イル）−１Ｈ−ピラゾール−１−イル）−３−（（ｔｒａｎｓ）−３−メチルシクロブチル）プロパンニトリルである請求項５記載の化合物、またはその医薬上許容される塩。
【請求項８】
３−（４−（７Ｈ−ピロロ［２，３−ｄ］ピリミジン−４−イル）−１Ｈ−ピラゾール−１−イル）−３−（（ｃｉｓ）−３−メチルシクロブチル）プロパンニトリルである請求項４記載の化合物、またはその医薬上許容される塩。
【請求項９】
（３Ｒ）−３−（４−（７Ｈ−ピロロ［２，３−ｄ］ピリミジン−４−イル）−１Ｈ−ピラゾール−１−イル）−３−（（ｃｉｓ）−３−メチルシクロブチル）プロパンニトリルである請求項８記載の化合物、またはその医薬上許容される塩。
【請求項１０】
（３Ｓ）−３−（４−（７Ｈ−ピロロ［２，３−ｄ］ピリミジン−４−イル）−１Ｈ−ピラゾール−１−イル）−３−（（ｃｉｓ）−３−メチルシクロブチル）プロパンニトリルである請求項８記載の化合物、またはその医薬上許容される塩。
【請求項１１】
請求項１〜１０のいずれか１項に記載の化合物のリン酸塩。
【請求項１２】
請求項１〜１０のいずれか１項に記載の化合物またはその医薬上許容される塩および少なくとも１種の医薬上許容される担体を含む組成物。
【請求項１３】
請求項１〜１０のいずれか１項に記載の化合物またはその医薬上許容される塩を含む、自己免疫疾患処置用医薬。
【請求項１４】
前記自己免疫疾患が、皮膚疾患、多発性硬化症、関節リウマチ、乾癬性関節炎、若年性関節炎、Ｉ型糖尿病、紅斑性狼瘡、炎症性腸疾患、クローン病、重症筋無力症、免疫グロブリン腎症、心筋炎、または自己免疫性甲状腺疾患である、請求項１３記載の医薬。
【請求項１５】
前記自己免疫疾患が関節リウマチである、請求項１３記載の医薬。
【請求項１６】
前記自己免疫疾患が皮膚疾患である、請求項１３記載の医薬。
【請求項１７】
前記皮膚疾患が、アトピー性皮膚炎、乾癬、皮膚感作、皮膚炎、皮膚発疹、接触性皮膚炎またはアレルギー性接触感作である、請求項１６記載の医薬。
【請求項１８】
請求項１〜１０のいずれか１項に記載の化合物またはその医薬上許容される塩を含む、癌処置用医薬。
【請求項１９】
前記癌が固形腫瘍である、請求項１８記載の医薬。
【請求項２０】
前記癌が、前立腺癌、腎臓癌、肝臓癌、乳癌、肺癌、甲状腺癌、カポジ肉腫、キャッスルマン病または膵臓癌である、請求項１８記載の医薬。
【請求項２１】
前記癌が、リンパ腫、白血病または多発性骨髄腫である、請求項１８記載の医薬。
【請求項２２】
請求項１〜１０のいずれか１項に記載の化合物またはその医薬上許容される塩を含む、骨髄増殖性疾患処置用医薬。
【請求項２３】
前記骨髄増殖性疾患（ＭＰＤ）が、真性赤血球増加症（ＰＶ）、本態性血小板血症（ＥＴ）、原発性骨髄線維症（ＰＭＦ）、骨髄化生を伴う骨髄線維症（ＭＭＭ）、慢性骨髄性白血病（ＣＭＬ）、慢性骨髄単球性白血病（ＣＭＭＬ）、好酸球増加症候群（ＨＥＳ）、特発性骨髄線維症（ＩＭＦ）、全身性肥満細胞疾患（ＳＭＣＤ）、または真性赤血球増加症／本態性血小板血症後の骨髄線維症（Ｐｏｓｔ−ＰＶ／ＥＴ  ＭＦ）である、請求項２２記載の医薬。
【請求項２４】
請求項１〜１０のいずれか１項に記載の化合物またはその医薬上許容される塩を含む、炎症性疾患処置用医薬。
【請求項２５】
請求項１〜１０のいずれか１項に記載の化合物またはその医薬上許容される塩を含む、臓器移植拒絶反応処置用医薬。
【請求項２６】
請求項１〜１０のいずれか１項に記載の化合物またはその医薬上許容される塩を含む、ドライアイ処置用医薬。
【手続補正書】
【提出日】平成26年2月6日(2014.2.6)
【手続補正１】
【補正対象書類名】特許請求の範囲
【補正対象項目名】全文
【補正方法】変更
【補正の内容】
【特許請求の範囲】
【請求項１】
リファキシミンを含む、対象においてC.ディフィシル感染症(CDI)を治療するための医薬組成物。
【請求項２】
前記CDIがバンコマイシンに対して耐性を示す、請求項1記載の医薬組成物。
【請求項３】
前記CDIがメトロニダゾールに対して耐性を示す、請求項1記載の医薬組成物。
【請求項４】
前記CDIがリファンピンに対して耐性を示す、請求項1記載の医薬組成物。
【請求項５】
前記CDIが院内感染性である、請求項1記載の医薬組成物。
【請求項６】
前記CDIがC.ディフィシルの強毒株により引き起こされる、請求項1記載の医薬組成物。
【請求項７】
前記強毒株がトキシンA、トキシンB、およびバイナリートキシンのうちの1つ以上をコードする遺伝子を含む、請求項6記載の医薬組成物。
【請求項８】
前記強毒株がtdcC遺伝子内に欠失を含む、請求項7記載の医薬組成物。
【請求項９】
リファキシミンを含む、対象において旅行者下痢(TD)を引き起こす細菌の毒力を変更するための医薬組成物。
【請求項１０】
前記の細菌の毒力を低下させる、請求項9記載の医薬組成物。
【請求項１１】
前記毒力を、1つ以上の毒性因子の発現を低下させることにより低下させる、請求項10記載の医薬組成物。
【請求項１２】
前記の1つ以上の毒性因子が耐熱性エンテロトキシン(ST)および易熱性エンテロトキシン(LT)からなる群より選択される、請求項11記載の医薬組成物。
【請求項１３】
前記毒力を、1つ以上の表面接着因子の発現を低下させることにより低下させる、請求項10記載の医薬組成物。
【請求項１４】
前記の1つ以上の表面接着因子がCS2／CS3およびCS6からなる群より選択される、請求項13記載の医薬組成物。
【請求項１５】
前記毒力を、1つ以上のエンドペプチダーゼの発現を低下させることにより低下させる、請求項10記載の医薬組成物。
【請求項１６】
前記の1つ以上のエンドペプチダーゼがマトリックスメタロプロテアーゼである、請求項15記載の医薬組成物。
【請求項１７】
1つのマトリックスメタロプロテアーゼがMMP-9である、請求項16記載の医薬組成物。
【請求項１８】
リファキシミンが殺菌濃度以下の濃度で投与される、請求項9記載の医薬組成物。
【請求項１９】
前記細菌が大腸菌である、請求項9記載の医薬組成物。
【請求項２０】
前記大腸菌が毒素原性大腸菌(ETEC)または腸管凝集性大腸菌(EAEC)である、請求項19記載の医薬組成物。
【請求項２１】
前記細菌が炭疽菌である、請求項9記載の医薬組成物。
【請求項２２】
リファキシミンを含む、細菌が上皮細胞に付着するその能力を低下させるための医薬組成物であって、上皮細胞を細菌への曝露に先立ってリファキシミンと接触させるように用いられる、上記医薬組成物。
【請求項２３】
前記細胞からの炎症性サイトカイン放出が阻害される、請求項22記載の医薬組成物。
【請求項２４】
前記細菌が大腸菌である、請求項22記載の医薬組成物。
【請求項２５】
前記大腸菌が毒素原性大腸菌(ETEC)または腸管凝集性大腸菌(EAEC)である、請求項24記載の医薬組成物。
【請求項２６】
前記細菌が炭疽菌である、請求項22記載の医薬組成物。
【請求項２７】
前記細菌が旅行者下痢を引き起こす、請求項22記載の医薬組成物。
【請求項２８】
リファキシミンを含む、対象の上皮細胞への細菌接着を特徴とする疾患または障害を予防するための医薬組成物であって、対象に細菌への曝露に先立ってリファキシミンが投与される、上記医薬組成物。
【請求項２９】
前記細菌が大腸菌である、請求項28記載の医薬組成物。
【請求項３０】
前記大腸菌が毒素原性大腸菌(ETEC)または腸管凝集性大腸菌(EAEC)である、請求項29記載の医薬組成物。
【請求項３１】
前記細菌が炭疽菌である、請求項28記載の医薬組成物。
【手続補正書】
【提出日】平成26年2月20日(2014.2.20)
【手続補正１】
【補正対象書類名】特許請求の範囲
【補正対象項目名】全文
【補正方法】変更
【補正の内容】
【特許請求の範囲】
【請求項１】
配列番号６に示されるアミノ酸配列を有するＴＧＦ−β１インヒビターペプチドを含んでなる、角膜の線維症および／または角膜の濁りの予防および／または治療に用いられる医薬組成物。
【請求項２】
眼への投与に適した剤型である、請求項１に記載の医薬組成物。
【請求項３】
前記ペプチドのための医薬的に許容されるビヒクルをさらに含んでなり、当該医薬的に許容されるビヒクルが眼への投与に適したものである、請求項１または２に記載の医薬組成物。
【請求項４】
前記医薬組成物が、ヒアルロン酸またはその医薬的に許容される塩を含んでなる局所用医薬組成物である、請求項１〜３のいずれか一項に記載の医薬組成物。
【請求項５】
配列番号６に示されるアミノ酸配列を有するＴＧＦ−β１インヒビターペプチドの、角膜の線維症および／または角膜の濁りの予防および／または治療に用いられる医薬組成物の製造ための使用。
【誤訳訂正書】
【提出日】平成26年6月9日(2014.6.9)
【誤訳訂正１】
【訂正対象書類名】明細書
【訂正対象項目名】００４９
【訂正方法】変更
【訂正の内容】
【００４９】
スライド８は、適切に傾斜しており、好ましくは水平面に対して約３０°であり、圧延機構造体からのカートリッジ３の抽出に移る前に、以下の工程が行われる：
・延長部５''の支持体の上方位置において延長部保持装置９を作動させる工程
・延長部５''の制御位置、即ちスライドの完全に前進した位置からスライド８を解放し、液圧シリンダー１０を用いてスライドそれ自体を引っ込めて、それ故にロール延長部継ぎ手を切り放し、完全に後退した位置に到達させる工程
・横方向に取り出されるカートリッジ３によって徐々に占められる空間から離れた位置５'''（図３中の破線の位置）まで延長部５''を運搬するため、延長部保持装置９を下げる工程
【誤訳訂正書】
【提出日】平成25年11月26日(2013.11.26)
【誤訳訂正１】
【訂正対象書類名】特許請求の範囲
【訂正対象項目名】請求項１
【訂正方法】変更
【訂正の内容】
【請求項１】
速硬性の複数の成分材料のためのスプレーガンであって、軸を有する噴霧先端と、前記噴霧先端を囲み前記軸に平行に空気を導く第一の同心の細い開口とを有し、
前記第一の同心の細い開口の外側であって、前記軸に対して約５５°の角度で空気を導く第二の同心の細い開口を有する改良。
【誤訳訂正２】
【訂正対象書類名】明細書
【訂正対象項目名】０００２
【訂正方法】変更
【訂正の内容】
【０００２】
背景技術
スプレーガン、とりわけポリウレタンおよびポリ尿素のような速硬性材料の利用のためのスプレーガンは、従来から、噴霧された材料がその先端に堆積する傾向があり、操作者は面倒な清掃をする必要があった。
【誤訳訂正書】
【提出日】平成26年7月24日(2014.7.24)
【誤訳訂正１】
【訂正対象書類名】特許請求の範囲
【訂正対象項目名】請求項１
【訂正方法】変更
【訂正の内容】
【請求項１】
基本トランスデューサ（１５）のアレイと少なくとも１本のコネクタ（２６，２７）とを備えており、各基本トランスデューサは、釣合い重り（１０）とホーン（９）との間に少なくとも１本のセラミック（８）を備えており、全ての基本トランスデューサは、各トランスデューサ（１５）を電気接続するためとトランスデューサを互いに位置決めするために、共通の印刷回路（７，１６）に装着されており、少なくとも１個のコネクタ（２６，２７）は、前記印刷回路に固定されており、さらに、各トランスデューサは、印刷回路がセラミックと釣合い重りの間に締付けられるように装着されており、
前記印刷回路（７，１６）は、各基本トランスデューサ（１５）を電気的に接続し、各基本トランスデューサ（１５）を個別に制御するための導体（１７，２１）を備えており、各基本トランスデューサ（１５）は、前記個別の基本トランスデューサの相当するセラミック（８）の第一前面電極との接点を与える導体（１７）に個別に接続されており、各基本トランスデューサ（１５）は、前記個別の基本トランスデューサのセラミック（８）の第二電極との電気接続を与える他の導体（２１）に個別に接続されており、これらの導体（１７，２１）は、送電では、励起エネルギをパワー・コントロール電子装置から伝送するとともに、受電相では、信号を信号受信・処理用電子回路へ伝送し、そして各トランスデューサの各要素の重量を有限要素方法により最適化することにより、トランスデューサの構造の振動の節が前記印刷回路の表面にあるようにすることにより、チャンネル間の漏話が最小化されていることを特徴とする装着が容易な、海中での応用のための音響アンテナ。
【誤訳訂正２】
【訂正対象書類名】明細書
【訂正対象項目名】０００２
【訂正方法】変更
【訂正の内容】
【０００２】
音響変換技術は、従来、海中での応用に用いたり、放射される音響出力と使用可能な波長とに最高の折り合いを付けるものであって、「Ｔｏｎｐｉｌｚ（音響キノコ）」と呼ばれる。このシステムは、一般的に膨張／圧縮モードで動作する有効質量（質量―ばね―質量）型の回転対称の電気音響変換器である。
【誤訳訂正３】
【訂正対象書類名】明細書
【訂正対象項目名】００２１
【訂正方法】変更
【訂正の内容】
【００２１】
印刷回路を介して現出しがちなチャンネル間の振動結合（「漏話」）は、動作の最適化のおかげで有限要素法で最少になる。この最少化は、特に釣合い重り１０の各トランスデューサの各要素の重量を最適化することによって得られる。この最適化は、印刷回路の変形を最大限減少し支持板においてトランスデューサ変位を最大限減少するために、トランスデューサの構造の振動の節が前記印刷回路の表面にあるようにするために行う。（一般的には、印刷回路版にトランスデューサを固定するロッドは、セラミックよりもはるかに高弾性であり、ロッドがトランスデューサに作用する予応力は、トランスデューサを締付けるためには十分ではないが、トランスデューサの要素と印刷回路との間の電気接触を確実にするには十分である。）トランスデューサを最適化するために、各トランスデューサの構造は、小容量要素の格子として図示してある。この格子内では、音響量のそれぞれを、初期条件と境界条件を既知のものとしてキルヒホッフの定理を適用して計算する。
【誤訳訂正書】
【提出日】平成26年1月15日(2014.1.15)
【誤訳訂正１】
【訂正対象書類名】明細書
【訂正対象項目名】００１５
【訂正方法】変更
【訂正の内容】
【００１５】
従来技術の歯のフランク面、あるいは溝のフランク面に対する追跡曲線９２の形状は、直交座標において次式で表せる。
ｙ=Ａ｛ｌｎ［Ａ／ｘ＋√（（Ａ／ｘ）２−１）］−√（１−（ｘ／Ａ）２）｝
ここで、
ｙ軸はベルト長手方向軸に直交；
ｘ軸はベルト長手方向軸に平行；
ｙ＝ｙ軸座標；
ｘ＝ｘ軸座標；
Ａ＝追跡曲線上の接点とｙ軸との間で一定である上記接線部分。
【誤訳訂正書】
【提出日】平成26年3月14日(2014.3.14)
【誤訳訂正１】
【訂正対象書類名】明細書
【訂正対象項目名】発明の名称
【訂正方法】変更
【訂正の内容】
【発明の名称】エモリエント組成物
【誤訳訂正２】
【訂正対象書類名】明細書
【訂正対象項目名】００２３
【訂正方法】変更
【訂正の内容】
【００２３】
本発明者らはまた、この組合せにおいて特定のワセリンを選択することが上の結果を達成するのに有利であることを実証した。密封剤(occlusive agent)およびエモリエントとしてのワセリンは、この組成物に特に重要なものである。ワセリンは、実際に皮膚上に保護フィルムを形成することにより、影響を受けたバリア機能の欠陥を埋め合わせる助けをする。
皮膚上に形成されるフィルムの量は、製造において用いるワセリンの流体学的特性に極めて強く依存する。
【誤訳訂正３】
【訂正対象書類名】明細書
【訂正対象項目名】００６０
【訂正方法】変更
【訂正の内容】
【００６０】
本発明はまた、軽度の表在性熱傷を処置するための薬剤の製造のための、本発明による組成物の使用を目的とする。
【誤訳訂正４】
【訂正対象書類名】明細書
【訂正対象項目名】００７９
【訂正方法】変更
【訂正の内容】
【００７９】
本試験モデルと比較した際、「ストレス無しの対照」条件は、乾燥していない対照に相当し、「ストレス有り」の条件は、２時間乾燥させ、対照条件下（すなわち、局所処置無し）でさらに２時間経過した皮膚生検に相当し、最後に「処置有り」の条件は、２時間の乾燥を施した後にエモリエントで２時間局所処置を施した皮膚である。
【誤訳訂正５】
【訂正対象書類名】特許請求の範囲
【訂正対象項目名】全文
【訂正方法】変更
【訂正の内容】
【特許請求の範囲】
【請求項１】
有効成分として、グリセロール、ワセリンおよび液体パラフィンの組合せを水中油型または油中水型エマルションの形態で含んでなる局所用組成物であって、前記ワセリンが、５１〜５７℃の滴点、１７５  １／１０ｍｍ〜１９５  １／１０ｍｍの稠度（２５℃におけるコーン貫入）、および１００℃における４ｃＳｔ〜５ｃＳｔの粘度を有する、局所用組成物。
【請求項２】
ワセリンが、１％テトラメチルシラン（ＴＭＳ）対照に対するその面積が４〜８である、２４．５５ｐｐｍのピークを含んでなる、炭素−１３の５００ＭＨｚ  ＮＭＲ分光スペクトルを有する、請求項１に記載の組成物。
【請求項３】
ワセリンが５４℃の滴点を有する、請求項１または２に記載の組成物。
【請求項４】
ワセリンが１８５  １／１０ｍｍの稠度（２５℃におけるコーン貫入）を有する、請求項１〜３のいずれか一項に記載の組成物。
【請求項５】
ワセリンが、１００℃において４．８ｃＳｔの粘度を有する、請求項１〜４のいずれか一項に記載の組成物。
【請求項６】
１５％のグリセロール、８％のワセリンおよび２％の液体パラフィンを含んでなる、請求項１〜５のいずれか一項に記載の組成物。
【請求項７】
ステアリン酸、モノステアリン酸グリセロール、ポリジメチルシクロシロキサン、ジメチコン、ポリエチレングリコール６００、トロラミン、パラヒドロキシ安息香酸プロピル、クロロクレゾール、ステアリン酸ＰＥＧ−４０、および蒸留水からなる群から選択される１種以上の賦形剤を含んでなる、請求項１〜６のいずれか一項に記載の組成物。
【請求項８】
皮膚病の皮膚乾燥症状を処置するための、請求項１〜７のいずれか一項に記載の組成物。
【請求項９】
前記皮膚病が、アトピー性皮膚炎、魚鱗癬症状および乾癬である、請求項８に記載の組成物。
【請求項１０】
軽度の表在性熱傷を処置するための、請求項１〜７のいずれか一項に記載の組成物。
【請求項１１】
アトピー性皮膚炎に罹患している患者に見られる湿疹発作を予防または治療する、および／またはその頻度および強度を軽減するための、請求項１〜７のいずれか一項に記載の組成物。
【請求項１２】
有効成分としてグリセロール、ワセリンおよび液体パラフィンの組合せを水中油型または油中水型エマルションの形態で含んでなる局所用組成物を製造するための、５１℃〜５７℃の滴点を有するワセリンの使用。
【請求項１３】
有効成分としてグリセロール、ワセリンおよび液体パラフィンの組合せを水中油型または油中水型エマルションの形態で含んでなる局所用組成物を製造するための、１％テトラメチルシラン（ＴＭＳ）対照に対するその面積が４〜８である、２４．５５ｐｐｍのピークを含んでなる、炭素−１３の５００ＭＨｚ  ＮＭＲ分光スペクトルを有するワセリンの使用。
【誤訳訂正書】
【提出日】平成26年4月10日(2014.4.10)
【誤訳訂正１】
【訂正対象書類名】特許請求の範囲
【訂正対象項目名】請求項４
【訂正方法】変更
【訂正の内容】
【請求項４】
約２２２℃の融点を特徴とする請求項２の水和物。
【手続補正書】
【提出日】平成26年4月2日(2014.4.2)
【手続補正１】
【補正対象書類名】特許請求の範囲
【補正対象項目名】全文
【補正方法】変更
【補正の内容】
【特許請求の範囲】
【請求項１】
患者の身体の１つの領域における患者の軟組織を膨張した状態に維持するための装置において、
第１の提供モードと、第２の保持モードとの間で移行するように構成された受動的なステントを備え、該受動的なステントは、前記第１の提供モードにおいて患者の身体領域の形状に従い、前記第２の保持モードにおいては前記患者の身体領域は前記受動的なステントの形状に従い、前記受動的なステントは、第２の保持モードにおいて、患者の軟組織をさらに膨張させることなく該患者の軟組織を膨張した状態に維持することを特徴とする、装置。
【請求項２】
前記軟組織は、乳房組織を含み、前記患者の身体領域は、乳房を含む、請求項１記載の装置。
【請求項３】
前記受動的なステントは、硬化性ポリマから形成された層を有しており、硬化性の前記層は、硬化すると柔軟性が低下するように構成されている、請求項１記載の装置。
【請求項４】
前記受動的なステントは、空気に曝されたときに前記第１の提供モードと前記第２の保持モードとの間で移行するように構成されている、請求項１記載の装置。
【請求項５】
前記受動的なステントは、水に曝されたときに前記第１の提供モードと前記第２の保持モードとの間で移行するように構成されている、請求項１記載の装置。
【請求項６】
前記受動的なステントは、温度に曝されたときに前記第１の提供モードと前記第２の保持モードとの間で移行するように構成されている、請求項１記載の装置。
【請求項７】
前記受動的なステントは、ＵＶ放射に曝されたときに前記第１の提供モードと前記第２の保持モードとの間で移行するように構成されている、請求項１記載の装置。
【請求項８】
前記受動的なステントは、触媒に曝されたときに前記第１の提供モードと前記第２の保持モードとの間で移行するように構成されている、請求項１記載の装置。
【請求項９】
前記受動的なステントは、前記患者の身体領域と接触するように構成された少なくとも１つの表面上の接着剤である、請求項１記載の装置。
【請求項１０】
前記受動的なステントは、前記患者の身体領域と接触しかつ前記受動的なステントを前記患者の身体領域に固定するように構成された接着剤層を含む、請求項１記載の装置。
【請求項１１】
硬化性の層と、圧縮層とをさらに備え、該圧縮層は、変形可能でありかつ前記接着剤層と前記硬化性の層との間に配置されている、請求項１０記載の装置。
【請求項１２】
前記接着剤層は、生体適合性である、請求項１０記載の装置。
【請求項１３】
前記受動的なステントは、硬化性の層と、中間層とを有し、該中間層は、前記硬化性の層と前記接着剤層とを結合している、請求項１０記載の装置。
【請求項１４】
患者の乳房内の患者の軟組織を膨張した状態に維持するための受動的なステントにおいて、
患者の乳房に接触しかつ前記受動的なステントを患者の乳房に少なくとも部分的に付着させるように構成された接着剤層と、
構造層と、を備え、
前記受動的なステントは、第１の状態から第２の状態へ移行するように構成されており、前記第２の状態は前記第１の状態よりも展性でなく、
前記受動的なステントは、前記第２の状態において、前記患者の乳房組織をさらに膨張させることなく前記患者の乳房組織を膨張した状態に維持するように構成されていることを特徴とする、受動的なステント。
【請求項１５】
前記構造層は、前記受動的なステントが前記第１の状態にあるときに硬化せず、前記受動的なステントが前記第２の状態にあるときに硬化させられる硬化性ポリマから形成されている、請求項１４記載の受動的なステント。
【請求項１６】
前記接着剤層と前記構造層との間に配置された中間層をさらに備え、該中間層は、前記接着剤層と前記構造層とを結合している、請求項１５記載の受動的なステント。
【請求項１７】
取り外されたときに前記接着剤層を露出させ、取り付けられたときに前記接着剤層を覆うように構成された取外し可能なバッキングをさらに備える、請求項１４記載の受動的なステント。
【請求項１８】
前記接着剤層と前記構造層との間に配置された圧縮可能層をさらに備える、請求項１４記載の受動的なステント。
【請求項１９】
前記接着剤層と前記構造層との間に配置された通気性層をさらに備える、請求項１４記載の受動的なステント。
【請求項２０】
患者の拡張された身体領域を膨張した状態に保持するための受動的なステントにおいて、
該受動的なステントを患者の拡張された身体領域に取り付けるように構成された第１の層と、
刺激に曝されたときに第１の状態と第２の状態との間で移行するように構成された第１２の層と、を備え、該第２の層は、前記第２の状態においてより柔軟ではなく、前記受動的なステントは、前記第２の層が前記第１の状態にあるときには患者の拡張させられた身体領域に実質的に従い、前記第２の層が前記第２の状態にあるときには前記患者の身体領域を膨張した状態に維持するように構成されていることを特徴とする、受動的なステント。
【請求項２１】
前記身体領域は、患者の乳房を含む、請求項２０記載の受動的なステント。
【請求項２２】
前記第１の層は、接着剤層である、請求項２０記載の受動的なステント。
【請求項２３】
前記第２の層は、硬化性ポリマから形成されており、前記第２の層は、前記第１の状態から前記第２の状態へ移行するときに柔軟性が低下する、請求項２０記載の受動的なステント。
【請求項２４】
前記刺激は、空気である、請求項２０記載の受動的なステント。
【請求項２５】
前記刺激は、水である、請求項２０記載の受動的なステント。
【請求項２６】
前記刺激は、温度である、請求項２０記載の受動的なステント。
【請求項２７】
前記刺激は、ＵＶ放射である、請求項２０記載の受動的なステント。
【請求項２８】
前記刺激は、触媒である、請求項２０記載の受動的なステント。
【手続補正書】
【提出日】平成26年10月22日(2014.10.22)
【手続補正１】
【補正対象書類名】特許請求の範囲
【補正対象項目名】全文
【補正方法】変更
【補正の内容】
【特許請求の範囲】
【請求項１】
二硫化モリブデンの粉末生成物を製造するために二硫化モリブデンの先駆物質をジェット粉砕し、そして新たにサイズが小さくなった粒子を油と実質的に連続的に合体させることによって製造された二硫化モリブデンの粉末生成物であって、４μｍ未満のＤ５０粒子サイズと、約０．４重量パーセント未満の油価と、約０．５ｍｇＫＯＨ/ｇ未満の酸価とを有する前記二硫化モリブデンの粉末生成物。
【請求項２】
前記酸価は約０．１〜約０．４ｍｇ ＫＯＨ/ｇの範囲である、請求項１に記載の二硫化モリブデンの粉末。
【請求項３】
前記油価は約０．１５〜約０．３５重量パーセントの範囲である、請求項１に記載の二硫化モリブデンの粉末。
【請求項４】
約０．６μｍ未満のＦＳＳＳ粒子サイズと、約０．４重量パーセント未満の油価と、約０．４ｍｇＫＯＨ/ｇ未満の酸価を有する二硫化モリブデンの粉末。
【請求項５】
前記ＦＳＳＳ粒子サイズは約０．４〜約０．４５μｍの範囲である、請求項４に記載の二硫化モリブデンの粉末。
【請求項６】
前記二硫化モリブデンの粉末は少なくとも約９８重量パーセントの二硫化モリブデンを含む、請求項４に記載の二硫化モリブデンの粉末。
【請求項７】
前記酸価は約０．１〜約０．４ｍｇＫＯＨ/ｇの範囲である、請求項４に記載の二硫化モリブデンの粉末。
【請求項８】
約０．９μｍ〜約１．６の範囲のＤ５０粒子サイズと、約０．４重量パーセント未満の油価と、約０．３ｍｇＫＯＨ/ｇ未満の酸価とを有する二硫化モリブデンの粉末生成物。
【請求項９】
少なくとも約９８重量パーセントの二硫化モリブデンと、４μｍ未満のＤ５０粒子サイズと、約０．４重量パーセント未満の油価と、約０．３ｍｇＫＯＨ/ｇ未満である酸価を含む粉末生成物。
【請求項１０】
前記Ｄ５０粒子サイズは約２μｍ未満である、請求項９に記載の粉末生成物。
【請求項１１】
前記Ｄ５０粒子サイズは約０．９μｍ〜約１．６μｍの範囲である、請求項９に記載の粉末生成物。
【手続補正書】
【提出日】平成26年6月11日(2014.6.11)
【手続補正１】
【補正対象書類名】特許請求の範囲
【補正対象項目名】全文
【補正方法】変更
【補正の内容】
【特許請求の範囲】
【請求項１】
電動車が進入するプラットフォームの入口から出口までの選択部分に設置され、ワイヤーロープを上下方に移動させるための多数のワイヤーロープ昇降手段と、前記ワイヤーロープ昇降手段を互いに連結するように水平方向に設置される多数のワイヤーロープとを含んでなる電動車プラットフォーム安全装置において、
前記ワイヤーロープ昇降手段は、地面に垂直方向に設置される胴体と；前記胴体の一側に垂直方向に設置されるガイド部材と；前記ガイド部材に沿って上下方に移動するように設置され、一側に前記ワイヤーロープが垂直方向に一定間隔で離隔して連結される多数のブロックと；前記胴体の上部または下部一側に回転可能に設置され、前記ブロックにそれぞれ連結された直径の相異なる多数の回転体が同時に正回転または逆回転して前記ワイヤーロープが互いに重なるかまたは互いにずれるように昇降距離を決定する回転体部材と；前記回転体部材を回転させるための駆動部材と；を含むことを特徴とする、電動車プラットフォーム安全装置。
【請求項２】
前記ガイド部材の両側面には長手方向にガイドレールが備えられ、前記ブロックの一側面には前記ガイドレールと当接したままで回転可能な多数のガイドローラーが形成されることを特徴とする、請求項１に記載の電動車プラットフォーム安全装置。
【請求項３】
前記回転体部材の外径部には連結具がかかった状態で前記ブロックの一側に連結されることを特徴とする、請求項１に記載の電動車プラットフォーム安全装置。
【請求項４】
前記駆動部材は、前記胴体の一側に設置されるシリンダーと；前記回転体部材の一端に連結される駆動滑車と；前記シリンダーのロッドに回転可能に設置される連動滑車と；前記胴体の一側に固定され、前記連動滑車を循環して前記駆動滑車に連結される連動具と；を含んでなることを特徴とする、請求項１に記載の電動車プラットフォーム安全装置。
【請求項５】
前記シリンダーの両端にロッドが形成され、一端のロッドには前記連動滑車が設置され、他側のロッドには重量体が設置されることを特徴とする、請求項４に記載の電動車プラットフォーム安全装置。
【請求項６】
前記シリンダーの両端にロッドが形成され、一端のロッドには前記連動滑車が設置され、他端ロッドには連結部材が設置され、前記連結部材の下部は前記胴体の底面に設置される補助シリンダーのロッドに連結されることを特徴とする、請求項４に記載の電動車プラットフォーム安全装置。
【請求項７】
前記駆動部材は、前記胴体の一側に設置される駆動モーターと；前記回転体部材の一端に連結される駆動スプロケットと；前記駆動モーターの回転軸に設置される回転スプロケットと；前記駆動スプロケットと回転スプロケットを連結するチェーンと；を含んでなることを特徴とする、請求項１に記載の電動車プラットフォーム安全装置。
【請求項８】
前記ワイヤーロープは前記ブロックの一側面に形成される多数の支持ローラーを循環して連結され、その連結部には張力調節スプリングが含まれることを特徴とする、請求項１に記載の電動車プラットフォーム安全装置。
【手続補正書】
【提出日】平成26年7月24日(2014.7.24)
【手続補正１】
【補正対象書類名】特許請求の範囲
【補正対象項目名】全文
【補正方法】変更
【補正の内容】
【特許請求の範囲】
【請求項１】
銅酸化物およびテルル成分を含む触媒の存在下でオレフィンと酸素とを反応させることを含む、酸化オレフィンの製造方法。
【請求項２】
触媒がルテニウム酸化物を含む請求項１に記載の方法。
【請求項３】
触媒がアルカリ金属成分またはアルカリ土類金属成分を含む請求項１または２に記載の方法。
【請求項４】
触媒がハロゲン成分を含む請求項１または２に記載の方法。
【請求項５】
銅酸化物およびテルル成分が多孔性担体に担持されている請求項１に記載の方法。
【請求項６】
銅酸化物、テルル成分およびルテニウム酸化物が多孔性担体に担持されている請求項２に記載の方法。
【請求項７】
銅酸化物、テルル成分、ルテニウム酸化物およびアルカリ金属成分またはアルカリ土類金属成分が多孔性担体に担持されている請求項３に記載の方法。
【請求項８】
銅酸化物、テルル成分、ルテニウム酸化物およびハロゲン成分が多孔性担体に担持されている請求項４に記載の方法。
【請求項９】
多孔性担体がAl2O3、SiO2、TiO2またはZrO2を含む請求項５〜８のいずれかに記載の方法。
【請求項１０】
多孔性担体がSiO2を含む請求項５〜８のいずれかに記載の方法。
【請求項１１】
触媒中のテルル／銅モル比が０．００１／１〜５０／１である請求項１または２に記載の方法。
【請求項１２】
触媒中のルテニウム／銅モル比が０．０１／１〜５０／１である請求項２に記載の方法。
【請求項１３】
触媒中のアルカリ金属またはアルカリ土類金属／銅モル比が０．００１／１〜５０／１である請求項３に記載の方法。
【請求項１４】
銅酸化物がCuOである請求項１または２に記載の方法。
【請求項１５】
テルル成分がテルルおよび酸素原子を含む請求項１または２に記載の方法。
【請求項１６】
ルテニウム酸化物がRuO2である請求項２に記載の方法。
【請求項１７】
銅酸化物とテルル成分を含む、酸化オレフィン製造用の触媒。
【請求項１８】
触媒がルテニウム酸化物を含む請求項１７に記載の触媒。
【請求項１９】
アルカリ金属成分またはアルカリ土類金属成分を含む、請求項１７または１８に記載の触媒。
【請求項２０】
ハロゲン成分を含む、請求項１７または１８に記載の触媒。
【手続補正２】
【補正対象書類名】明細書
【補正対象項目名】００４３
【補正方法】変更
【補正の内容】
【００４３】
次に、前記した触媒存在下での酸素とのオレフィンの反応を以下に説明する。
本発明においては、オレフィンは線状または分岐状の構造を有してもよく、通常、２〜１０個、好ましくは２〜８個の炭素原子を有し得る。オレフィンは、モノオレフィンであってもよく、またはジオレフィンであることができる。モノオレフィンには、例えば、エチレン、プロピレン、ブテン、ペンテン、ヘキセン、ヘプテン、オクテン、ノネンおよびデセンが含まれる。ジエンには、例えば、１,３-ブタジエンまたは１,２-ブタジエンなどのブタジエンが含まれる。オレフィンには、例えば、好ましくはモノオレフィンが含まれ、より好ましくはエチレン、プロピレン、ブテン、ペンテン、ヘキセン、ヘプテンおよびオクテンが含まれ、さらにより好ましくはエチレン、プロピレンおよびブテンが含まれ、最も好ましくはプロピレンが含まれる。
【手続補正書】
【提出日】平成26年8月6日(2014.8.6)
【手続補正１】
【補正対象書類名】特許請求の範囲
【補正対象項目名】全文
【補正方法】変更
【補正の内容】
【特許請求の範囲】
【請求項１】
HIV Gagおよび/またはPolタンパク質由来の1つまたは複数のエピトープを有する粒子抗原および非病原性細菌の混合物を含む医薬組成物。
【請求項２】
前記粒子抗原が、ウイルス粒子、ウイルス様粒子、組換えウイルス粒子、コンジュゲートウイルスタンパク質、およびコンカテマーウイルスタンパク質から選択される、請求項1に記載の医薬組成物。
【請求項３】
前記組換えウイルス粒子または前記ウイルス粒子が、不活性化されている、請求項2に記載の医薬組成物。
【請求項４】
前記細菌が、弱毒化された病原性細菌、不活性化された病原性細菌(任意選択で、さらに弱毒化されている)、および非病原性乳酸菌から選択される、請求項1から3のいずれか一項に記載の医薬組成物。
【請求項５】
前記細菌が、ラクトバチルス細菌である、請求項4に記載の医薬組成物。
【請求項６】
前記細菌がBCGである、請求項4に記載の医薬組成物。
【請求項７】
粘膜または皮内もしくは上皮内医薬組成物である、請求項1から6のいずれか一項に記載の医薬組成物。
【請求項８】
経口医薬組成物である、請求項7に記載の医薬組成物。
【請求項９】
その必要のあるヒトにおけるHIV疾患を予防するおよび/または治療するための方法における使用のための、請求項1から8のいずれか一項に記載の医薬組成物。
【請求項１０】
HIVからヒトを保護するための方法において使用するための、請求項1から8のいずれか一項に記載の医薬組成物。
【請求項１１】
HIVセロコンバージョンからヒトを保護するための方法において使用するための、請求項1から8のいずれか一項に記載の医薬組成物。
【請求項１２】
ヒトにおけるHIVに対する抗原特異的免疫保護を誘発し、好ましくは維持する、請求項1から11のいずれか一項に記載の医薬組成物。
【請求項１３】
前記免疫保護が、前記ヒトにおけるHIVウイルス量の低下および好ましくは抑制によって特徴付けられる、請求項12に記載の医薬組成物。
【請求項１４】
前記免疫保護が、前記ヒトにおけるHIV Gagおよび/またはPol抗原提示CD4+T細胞の活性化を抑制するCD8+調節性T細胞によって特徴付けられる、請求項12または13に記載の医薬組成物。
【請求項１５】
前記免疫保護が、前記ヒト由来のCD8+調節性T細胞の存在または活性をインビトロにおいて検出することによって前記ヒトにおいて決定され、前記CD8+調節性T細胞が、MHC-Ib/E拘束性CD8+調節性T細胞である、請求項14に記載の医薬組成物。
【請求項１６】
その必要のあるヒトにおけるHIV疾患を予防するおよび/または治療するための医薬キットであって、
-第1の容器中に、HIV Gagおよび/またはPolタンパク質由来の1つまたは複数のエピトープを有する粒子抗原、ならびに
-第2の容器中に非病原性生細菌
を含み、前記抗原および前記細菌が、粘膜または皮内もしくは上皮内投与のための薬学的に許容できるキャリア中にある医薬キット。
【手続補正書】
【提出日】平成26年5月15日(2014.5.15)
【手続補正１】
【補正対象書類名】特許請求の範囲
【補正対象項目名】全文
【補正方法】変更
【補正の内容】
【特許請求の範囲】
【請求項１】
映像をデコーディングするための方法であって、
コーディングされた映像を含むビットストリームを復号して、変換木を生成するための分割フラグと、コーディング単位（以下、ＣＵという）の予測単位（以下、ＰＵという）への区画情報とを得る、復号するステップと、
前記分割フラグに従って前記変換木を生成するステップであって、前記変換木内のノードは、前記ＣＵに関連付けられた変換単位（以下、ＴＵという）を表し、前記生成するステップは、
前記分割フラグが設定されている場合にのみ、前記ＴＵを分割し、前記ＴＵの分割に従って前記変換木を変更すること、
を更に含むステップと、
前記変換木に従って前記ＰＵに関連付けられた前記ＴＵを用いて、前記ＰＵに含まれるデータを復号化するステップと、
を含む方法。
【請求項２】
前記生成するステップは、
正方形のＴＵが、複数の長方形のＴＵに分割されることと、
複数のＴＵを含む各ＰＵについて、前記複数のＴＵをより大きなＴＵにマージすることと、
前記マージに従って前記変換木を変更することと、
を含む、請求項１に記載の方法。
【請求項３】
各ＴＵのサイズが所定の最小値に等しくなるまで、前記分割することと、前記マージすることと、前記変更することとを繰り返すこと、
を更に含む、請求項２に記載の方法。
【請求項４】
前記繰り返すことは、特定のノードの前記ＴＵが前記関連付けられたＰＵ内に完全に包含されているとは限らない場合に続けられる、請求項３に記載の方法。
【請求項５】
前記ビットストリームは、暗黙的分割フラグを含み、前記暗黙的分割フラグが設定されていない場合、前記分割フラグは、前記変換木内の対応する前記ノードについて、前記ビットストリーム内に信号化されている、請求項１に記載の方法。
【請求項６】
前記ビットストリームは、暗黙的分割フラグを含み、前記暗黙的分割フラグが設定され、かつ、あらかじめ規定された分割条件が満たされている場合にのみ、前記繰り返すことが実行される、請求項３に記載の方法。
【請求項７】
長方形のＴＵを前記分割することは、前記長方形のＴＵの長軸の方向に沿っている、請求項１に記載の方法。
【請求項８】
前記分割することは、３つ以上のＴＵを生成する、請求項１に記載の方法。
【請求項９】
前記ＴＵの最大長又は最大幅が削減される、請求項１に記載の方法。
【請求項１０】
前記ＰＵは、任意の形状及びサイズを有する、請求項１に記載の方法。
【請求項１１】
前記分割することは、長方形のＴＵを生成する、請求項１に記載の方法。
【請求項１２】
水平の長方形のＴＵ及び垂直の長方形のＴＵが、前記ＰＵ内の特徴の方向と整合される、請求項１に記載の方法。
【請求項１３】
前記ＰＵは、ビデオデータの一部分を含む、請求項１に記載の方法。
【請求項１４】
前記ＰＵは、予測プロセスから得られた残差データを含む、請求項１に記載の方法。
【請求項１５】
前記変換木はＮ分木である、請求項１に記載の方法。
【請求項１６】
長方形のＴＵの前記分割は、短軸の方向に沿っている、請求項１に記載の方法。
【請求項１７】
正方形又は長方形のＴＵが、より大きなＴＵにマージされる、請求項２に記載の方法。
【請求項１８】
前記Ｎ分木のＮの値は、前記変換木のノードが異なるごとに異なる、請求項１５に記載の方法。
【請求項１９】
前記ＴＵは、複数のＰＵがインター予測される場合に、前記ＰＵにまたがる、請求項１に記載の方法。
【請求項２０】
前記ＴＵは、前記変換木のリーフノードによって表される、請求項１に記載の方法。
【手続補正書】
【提出日】平成26年9月25日(2014.9.25)
【手続補正１】
【補正対象書類名】特許請求の範囲
【補正対象項目名】全文
【補正方法】変更
【補正の内容】
【特許請求の範囲】
【請求項１】
(a)(i) 一つまたは複数のオリゴヌクレオチドプライマー;
(ii) ポリメラーゼ; および
(iii) 遊離アルギニン、スペルミジン、もしくはスペルミン、またはそれらの塩を含む、核酸増幅の特異性を改善するのに十分な量の作用物質
を含む、核酸増幅に十分な組成物中に、核酸を提供する段階、ならびに
(b) 該核酸を増幅するのに十分な条件の下で混合物をインキュベートし、それによって該核酸を増幅させる段階
を含む、核酸分子を増幅する方法。
【請求項２】
ポリメラーゼがDNA結合ドメインとコンジュゲートしている、請求項1記載の方法。
【請求項３】
DNA結合ドメインがSso7ドメインである、請求項2記載の方法。
【請求項４】
作用物質が、非特異的な増幅産物と比べた特異的な増幅産物の相対収率を少なくとも10%増加させるのに十分な量で存在する、請求項1記載の方法。
【請求項５】
作用物質が、遊離アルギニンまたはその塩である、請求項1記載の方法。
【請求項６】
遊離アルギニンまたは遊離アルギニン塩の濃度が、約1 mM〜約500 mMである、請求項5記載の方法。
【請求項７】
ポリメラーゼが、3'から5'方向のエキソヌクレアーゼ活性を実質的に欠いている、請求項1記載の方法。
【請求項８】
ポリメラーゼが、SEQ ID NO:1またはSEQ ID NO:2のアミノ酸配列を有する、請求項1記載の方法。
【請求項９】
Sso7ドメインが、SEQ ID NO:3に対する少なくとも75%のアミノ酸配列同一性を有する、請求項3記載の方法。
【請求項１０】
組成物が、20℃〜37℃の場合に1℃あたり0.027 pH単位未満の変化を(0.1 Mの濃度で測定した場合に)有する緩衝液を含む、請求項1記載の方法。
【請求項１１】
緩衝液が、HEPES、ACES、PIPES、MOPSO、BES、MOPS、TES、TAPSO、POPSO、BICINE、TAPS、およびAMPSOからなる群より選択される、請求項10記載の方法。
【請求項１２】
(a)(i) 一つまたは複数のオリゴヌクレオチドプライマー; および
(ii) 少なくとも20単位/反応の濃度で存在する、ポリメラーゼ
を含む、核酸増幅に十分な組成物を、核酸に提供する段階、ならびに
(b) 該核酸を増幅するのに十分な条件の下で該組成物中の該核酸をインキュベートし、それによって該核酸を増幅させる段階
を含む、核酸を増幅する方法。
【請求項１３】
ポリメラーゼがDNA結合ドメインとコンジュゲートしている、請求項12記載の方法。
【請求項１４】
DNA結合ドメインがSso7ドメインである、請求項13記載の方法。
【請求項１５】
組成物が、遊離アルギニンまたはその塩をさらに含む、請求項12記載の方法。
【請求項１６】
遊離アルギニンまたは遊離アルギニン塩の濃度が、約1 mM〜約500 mMである、請求項15記載の方法。
【請求項１７】
ポリメラーゼが、3'から5'方向のエキソヌクレアーゼ活性を実質的に欠いている、請求項12記載の方法。
【請求項１８】
ポリメラーゼが、SEQ ID NO:1またはSEQ ID NO:2のアミノ酸配列を有する、請求項12記載の方法。
【請求項１９】
Sso7ドメインが、SEQ ID NO:3に対する少なくとも75%のアミノ酸配列同一性を有する、請求項14記載の方法。
【請求項２０】
組成物が、20℃〜37℃の場合に1℃あたり0.027 pH単位未満の変化を(0.1 Mの濃度で測定した場合に)有する緩衝液を含む、請求項12記載の方法。
【請求項２１】
緩衝液が、HEPES、ACES、PIPES、MOPSO、BES、MOPS、TES、TAPSO、POPSO、BICINE、TAPS、およびAMPSOからなる群より選択される、請求項20記載の方法。
【請求項２２】
ポリメラーゼ; および
遊離アルギニン、スペルミジン、もしくはスペルミン、またはそれらの塩を含む、核酸増幅の特異性を改善するのに十分な量の作用物質
を含む、反応混合物。
【手続補正書】
【提出日】平成26年4月17日(2014.4.17)
【手続補正１】
【補正対象書類名】明細書
【補正対象項目名】００８０
【補正方法】変更
【補正の内容】
【００８０】
＜次亜塩素酸塩処理澱粉を原料とした油脂処理澱粉＞
表５に記載の各種原料澱粉に各種食用油脂０．１部を添加混合後、１３０℃の棚式乾燥機で、２〜６時間加熱し、油脂処理澱粉試料２８〜４３を得た。用いた原料澱粉、食用油脂および油脂処理澱粉の膨潤度を表６に示した。
【手続補正２】
【補正対象書類名】明細書
【補正対象項目名】００８６
【補正方法】変更
【補正の内容】
【００８６】
次亜塩素酸塩処理マメ類澱粉を原料とする試料番号２８〜３２の油脂処理澱粉（実施例）は、試料番号３３〜４３の油脂処理澱粉（比較例）と比べて結着性、食感ともに優れていた。特に、膨潤度が５．２ｍｌ、５．５ｍｌまたは７．０ｍｌの試料は最高ランクのＡＡ評価を記録した。同じ次亜塩素酸塩処理マメ類澱粉であっても膨潤抑制処理澱粉の膨潤度が９．２ｍｌの試料は結着性・食感が劣る結果となった。マメ類澱粉を原料としない油脂処理澱粉はいずれの膨潤度であっても、実施例の試料と比べて結着性と食感の両方または片方が劣り、総合評価で劣る結果となった。
【手続補正３】
【補正対象書類名】明細書
【補正対象項目名】００９１
【補正方法】変更
【補正の内容】
【００９１】
＜試験例３＞
試料番号４４〜５０の油脂処理澱粉１００部に、粘度調整剤としてグァーガム０．５〜１．０部（バッター粘度が約２５００〜３５００ｍＰａ・ｓとなるように調整した（Ｂ型粘度計、３号ローター、１２ｒｐｍ、１５℃））、食感改良剤として乾燥卵白「サンキララＳＨＧ」（太陽化学株式会社製）０．５部を加えてよく混合したミックス粉に、水２００部を加えてバッター液を調製した。このバッター液を冷凍ハムに均一に付けた後、パン粉付けし、一晩凍結後、各３枚ずつ１７５℃のサラダ油で３分間揚げてハムカツを作った。得られたハムカツについて、試験例１の基準に従って結着性および食感について評価した。